(57)【要約】【課題】部品点数を低減することができるガス絶縁スイッチギアを提供する。【解決手段】このガス絶縁スイッチギア１００は、内部が絶縁性のガスにより満たされている密閉容器１（筐体部）と、密閉容器１に収容され、電流を遮断する遮断器５と、密閉容器１内において各相毎に設けられた複数の母線１０３に接続され、各相毎の電流経路を断路する母線側断路器６と、を備える。また、ガス絶縁スイッチギア１００は、密閉容器１に収容され、受電または給電に用いられる電力ケーブル２と遮断器５との間の電流経路を断路するとともに遮断器５と接続される断路器４と、密閉容器１の外面１ａに取り付けられ、遮断器５および断路器４の両方を操作する単一の共通操作ユニット７と、を備える。【選択図】図１
2020013698.tif 000002
【特許請求の範囲】
【請求項１】
内部が絶縁性のガスにより満たされている筐体部と、
前記筐体部に収容され、電流を遮断する遮断器と、
前記筐体部内において各相毎に設けられた複数の母線に接続され、各相毎の電流経路を断路する母線側断路器と、
前記筐体部に収容され、受電または給電に用いられる電力ケーブルと前記遮断器との間、および、前記母線側断路器と前記遮断器との間の少なくとも一方の電流経路を断路するとともに前記遮断器と接続される断路器と、
前記筐体部の外面に取り付けられ、前記遮断器および前記断路器の両方を操作する単一の共通操作ユニットと、を備える、ガス絶縁スイッチギア。
【請求項２】
前記共通操作ユニットは、前記遮断器および前記断路器のうちの一方の状態に応じて他方の動作を制限するインターロック部を含む、請求項１に記載のガス絶縁スイッチギア。
【請求項３】
前記共通操作ユニットは、前記遮断器および前記断路器を連続的に動作させる連動モードと、前記遮断器および前記断路器を別個に動作させる個別モードとを切り替えるモード切替部を含む、請求項１または２に記載のガス絶縁スイッチギア。
【請求項４】
前記共通操作ユニットは、前記モード切替部により前記共通操作ユニットが前記個別モードに切り替えられた場合に、前記遮断器および前記断路器の各々を自動的に制御する自動制御部と、前記遮断器および前記断路器の各々を手動制御するための操作ハンドルが挿入されるハンドル挿入部とを含む、請求項３に記載のガス絶縁スイッチギア。
【請求項５】
前記共通操作ユニットは、互いに接続された前記遮断器および前記断路器に、単一のカバー部材を介して取り付けられている、請求項１〜４のいずれか１項に記載のガス絶縁スイッチギア。
【請求項６】
前記断路器が接触することにより前記断路器を接地状態にする接地端子をさらに備え、
前記接地端子は、前記共通操作ユニットが取り付けられている前記カバー部材に設けられている、請求項５に記載のガス絶縁スイッチギア。
【請求項７】
前記遮断器は、前記カバー部材に取り付けられ、互いに接続された前記遮断器および前記断路器を支持する支持部を含む、請求項５または６に記載のガス絶縁スイッチギア。
【請求項８】
前記遮断器および前記断路器は、前記共通操作ユニットが取り付けられる前記筐体部の外面に沿って上下方向に並んで配置されている、請求項１〜７のいずれか１項に記載のガス絶縁スイッチギア。
【請求項９】
前記断路器は、前記電力ケーブルと前記遮断器との間の電流経路を断路する第１断路器と、前記母線側断路器と前記遮断器との間の電流経路を断路する第２断路器とを含み、
前記単一の共通操作ユニットは、前記筐体部の外面に取り付けられているとともに、前記遮断器、前記第１断路器、および、前記第２断路器を操作するように構成されている、請求項１〜８のいずれか１項に記載のガス絶縁スイッチギア。
【発明の詳細な説明】
【技術分野】
【０００１】
この発明は、ガス絶縁スイッチギアに関し、特に、遮断器および断路器を備えるガス絶縁スイッチギアに関する。
【背景技術】
【０００２】
従来、遮断器および断路器を備えるガス絶縁スイッチギアが知られている（たとえば、特許文献１参照）。
【０００３】
上記特許文献１のガス絶縁スイッチギアは、絶縁性ガスが封入された金属製の密閉容器を備える。密閉容器には、受電側の断路器、および、回路遮断器が収容されている。また、上記ガス絶縁スイッチギアは、上記断路器を操作するための断路器側操作部と、回路遮断器を操作するための遮断器側操作部とを備えている。なお、断路器側操作部および遮断器側操作部は、互いに別個に設けられている。また、断路器側操作部および遮断器側操作部は、それぞれ、互いに異なる板状のフランジ部材を介して、密閉容器に取り付けられている。また、互いに異なる板状のフランジ部材の各々には、密閉容器の密閉性を保つために、Ｏリングが設けられている。
【先行技術文献】
【特許文献】
【０００４】
【特許文献１】特開２０１１−２５０５４３号公報
【発明の概要】
【発明が解決しようとする課題】
【０００５】
しかしながら、上記特許文献１のガス絶縁スイッチギアでは、断路器側操作部および遮断器側操作部（操作ユニット）が互いに別個に設けられているため、上記のフランジ部材およびＯリングなどの部材が断路器側操作部および遮断器側操作部の各々に必要となり、部品点数が増加するという問題点がある。
【０００６】
この発明は、上記のような課題を解決するためになされたものであり、この発明の１つの目的は、部品点数を低減することが可能なガス絶縁スイッチギアを提供することである。
【課題を解決するための手段】
【０００７】
上記目的を達成するために、この発明の一の局面によるガス絶縁スイッチギアは、内部が絶縁性のガスにより満たされている筐体部と、筐体部に収容され、電流を遮断する遮断器と、筐体部内において各相毎に設けられた複数の母線に接続され、各相毎の電流経路を断路する母線側断路器と、筐体部に収容され、受電または給電に用いられる電力ケーブルと遮断器との間、および、母線側断路器と遮断器との間の少なくとも一方の電流経路を断路するとともに遮断器と接続される断路器と、筐体部の外面に取り付けられ、遮断器および断路器の両方を操作する単一の共通操作ユニットと、を備える。なお、ガス絶縁スイッチギアとは、ガス絶縁開閉装置と同じ意味である。
【０００８】
この発明の一の局面によるガス絶縁スイッチギアでは、上記のように、遮断器および断路器の両方を操作する単一の共通操作ユニットが設けられていることによって、遮断器および断路器の各々に別個に操作ユニットが設けられている場合と比べて、操作ユニット自体の数を低減させることができるとともに、共通操作ユニットを取り付けるために必要な部材の数を低減させることができるので、部品点数を低減することができる。
【０００９】
また、単一の共通操作ユニットを設けることにより、遮断器および断路器の各々に別個に操作ユニットが設けられている場合と比べて、ガス絶縁スイッチギアの装置構成を簡略化することができる。
【００１０】
上記一の局面によるガス絶縁スイッチギアにおいて、好ましくは、共通操作ユニットは、遮断器および断路器のうちの一方の状態に応じて他方の動作を制限するインターロック部を含む。ここで、遮断器および断路器の各々に別個に操作ユニットが設けられている場合では、各操作ユニットから外部に引き出された配線を用いてインターロック部による制御が行われる。これに対し、共通操作ユニットがインターロック部を含むことによって、共通操作ユニットの外部に配線を引き出すことなく、共通操作ユニットの内部でインターロックの制御を行うことができる。これにより、インターロック部による制御を行うための構成を簡略化することができる。また、共通操作ユニットの外部で配線する作業が必要ないので、ガス絶縁スイッチギアの製造工程を簡略化することができる。
【００１１】
ここで、遮断器および断路器の各々に別個に操作ユニットが設けられている場合では、操作ユニットが互いに離間して設けられるので、機械的なインターロックを行うことが困難であった。したがって、共通操作ユニットがインターロック部を含むことによって、機械的なインターロックを容易に行うことができる。
【００１２】
上記一の局面によるガス絶縁スイッチギアにおいて、好ましくは、共通操作ユニットは、遮断器および断路器を連続的に動作させる連動モードと、遮断器および断路器を別個に動作させる個別モードとを切り替えるモード切替部を含む。ここで、遮断器および断路器の各々に別個に操作ユニットが設けられている場合では、各操作ユニットから外部に引き出された配線を用いてモード切替部による制御が行われる。これに対し、共通操作ユニットがモード切替部を含むことによって、共通操作ユニットの外部に配線を引き出すことなく、共通操作ユニットの内部でモード切替の制御を行うことができる。これにより、モード切替部による制御を行うための構成を簡略化することができる。また、共通操作ユニットの外部で配線する作業が必要ないので、ガス絶縁スイッチギアの製造工程をさらに簡略化することができる。
【００１３】
この場合、好ましくは、共通操作ユニットは、モード切替部により共通操作ユニットが個別モードに切り替えられた場合に、遮断器および断路器の各々を自動的に制御する自動制御部と、遮断器および断路器の各々を手動制御するための操作ハンドルが挿入されるハンドル挿入部とを含む。このように構成すれば、遮断器および断路器の各々の、自動制御部とハンドル挿入部とを、共通操作ユニットに集約することができるので、遮断器および断路器の各々に別個に操作ユニットが設けられている場合に比べて、ユーザによる自動制御部およびハンドル挿入部の操作を容易化することができる。
【００１４】
上記一の局面によるガス絶縁スイッチギアにおいて、好ましくは、共通操作ユニットは、互いに接続された遮断器および断路器に、単一のカバー部材を介して取り付けられている。ここで、遮断器および断路器の各々に別個に操作ユニットが設けられている場合では、各操作ユニットに対応するカバー部材が必要となる。したがって、共通操作ユニットが、互いに接続された遮断器および断路器に、単一のカバー部材を介して取り付けられていることによって、遮断器および断路器の各々に別個に操作ユニットが設けられている場合に比べて、カバー部材の数を低減させることができる。
【００１５】
この場合、好ましくは、断路器が接触することにより断路器を接地状態にする接地端子をさらに備え、接地端子は、共通操作ユニットが取り付けられているカバー部材に設けられている。このように構成すれば、接地端子を設けるために、カバー部材とは異なる部材を設ける場合に比べて、部品点数を低減させることができる。
【００１６】
上記共通操作ユニットが互いに接続された遮断器および断路器にカバー部材を介して取り付けられているガス絶縁スイッチギアにおいて、好ましくは、遮断器は、カバー部材に取り付けられ、互いに接続された遮断器および断路器を支持する支持部を含む。このように構成すれば、遮断器および断路器の各々が別個の支持部により支持されている場合に比べて、部品点数を低減させることができる。
【００１７】
上記一の局面によるガス絶縁スイッチギアにおいて、好ましくは、遮断器および断路器は、共通操作ユニットが取り付けられる筐体部の外面に沿って上下方向に並んで配置されている。このように構成すれば、遮断器および断路器が、共通操作ユニットが取り付けられる筐体部の外面と交差する方向に並んで配置されている場合に比べて、遮断器および断路器の少なくとも一方と筐体部の外面との間の距離を小さくすることができる。その結果、共通操作ユニットによる操作に用いられる構成を簡略化することができる。
【００１８】
上記一の局面によるガス絶縁スイッチギアにおいて、好ましくは、断路器は、電力ケーブルと遮断器との間の電流経路を断路する第１断路器と、母線側断路器と遮断器との間の電流経路を断路する第２断路器とを含み、単一の共通操作ユニットは、筐体部の外面に取り付けられているとともに、遮断器、第１断路器、および、第２断路器を操作するように構成されている。このように構成すれば、遮断器、第１断路器、および、第２断路器の各々に別個に操作ユニットが設けられている場合に比べて、操作ユニットを取り付けるために必要な部材の部品点数を低減させることができる。
【００１９】
また、遮断器、第１断路器、および、第２断路器の各々に別個に操作ユニットが設けられている場合と比べて、操作ユニット自体の数を低減させることができるので、ガス絶縁スイッチギアの装置構成を簡略化することができる。
【発明の効果】
【００２０】
本発明によれば、上記のように、部品点数を低減することができる。
【図面の簡単な説明】
【００２１】
【図１】第１実施形態によるガス絶縁スイッチギアの構成を示した断面図である。
【図２】第１実施形態によるガス絶縁スイッチギアを共通操作ユニット側から見た正面図である。
【図３】第１および第２実施形態によるガス絶縁スイッチギアのカバー部材の構成を説明するための斜視図である。
【図４】第１および第２実施形態によるガス絶縁スイッチギアのリンク機構を説明するための図である。
【図５】第１実施形態によるガス絶縁スイッチギアの共通操作ユニットの構成を示した図である。
【図６】第１および第２実施形態による操作ハンドルの構成を示した図である。
【図７】第２実施形態によるガス絶縁スイッチギアの構成を示した断面図である。
【図８】第２実施形態によるガス絶縁スイッチギアを共通操作ユニット側から見た正面図である。
【図９】第２実施形態によるガス絶縁スイッチギアの共通操作ユニットの構成を示した図である。
【発明を実施するための形態】
【００２２】
以下、本発明を具体化した実施形態を図面に基づいて説明する。
【００２３】
［第１実施形態］
図１〜図６を参照して、第１実施形態によるガス絶縁スイッチギア（ガス絶縁開閉装置）１００の構成について説明する。
【００２４】
（ガス絶縁スイッチギアの構成）
まず、図１を参照して、ガス絶縁スイッチギア１００の構成について説明する。なお、図１は、概略図であり、説明に不要な部材の図示を省略している。
【００２５】
図１に示すように、ガス絶縁スイッチギア１００は、密閉容器１を備える。密閉容器１は、金属製である。密閉容器１は、内部が絶縁性のガス（たとえば六フッ化硫黄（ＳＦ６））により満たされている。なお、密閉容器１は、特許請求の範囲の「筐体部」の一例である。
【００２６】
ガス絶縁スイッチギア１００には、受電用の電力ケーブル２が接続されている。電力ケーブル２は、密閉容器１の外部から密閉容器１内に引き込まれている。
【００２７】
ガス絶縁スイッチギア１００には、接地装置３が設けられている。接地装置３は、密閉容器１に収容されている。また、密閉容器１の外面１ａには、接地装置３を操作する接地装置用操作ユニット３０が設けられている。接地装置用操作ユニット３０により接地装置３が閉状態にされることによって、ガス絶縁スイッチギア１００が接地状態に切り替えられる。
【００２８】
ガス絶縁スイッチギア１００は、電流経路を断路する断路器４を備える。断路器４は、密閉容器１に収容されている。断路器４は、電力ケーブル２と後述する遮断器５との間の電流経路を断路するように構成されている。具体的には、断路器４は、Ｘ１方向およびＸ２方向に移動可能に構成されている。断路器４のＸ１方向側には、導通端子４０が設けられている。断路器４がＸ１方向側に移動するとともに導通端子４０に接触することにより、断路器４を介して、電力ケーブル２と後述する遮断器５との間に電流経路が形成される。導通端子４０は、密閉容器１内において電力ケーブル２と銅バー１０１により接続されている。なお、断路器４は、特許請求の範囲の「第１断路器」の一例である。
【００２９】
また、断路器４のＸ２方向側には、接地端子４１が設けられている。断路器４がＸ２方向側に移動するとともに接地端子４１に接触することにより、断路器４は接地状態になる。後述する遮断器５を点検する際には、遮断器５に電流が流れないようにするため、断路器４を接地状態にするのが好ましい。また、接地端子４１は、Ｒ相用接地端子４１ａ（図２参照）と、Ｓ相用接地端子４１ｂ（図２参照）と、Ｔ相用接地端子４１ｃ（図２参照）とを含んでいる。なお、図２では、接地装置用操作ユニット３０および後述する母線側断路器用操作ユニット６２は、簡略化のため、図示を省略している。また、Ｒ相用接地端子４１ａ、Ｓ相用接地端子４１ｂ、および、Ｔ相用接地端子４１ｃは、それぞれ、特許請求の範囲の「接地端子」の一例である。
【００３０】
また、断路器４が、導通端子４０および接地端子４１のいずれにも接続されていない場合は、断路器４は接地状態ではないが、電力ケーブル２と後述する遮断器５との間の電流経路が断路されている。
【００３１】
ガス絶縁スイッチギア１００は、電流を遮断する遮断器５を備える。遮断器５は、密閉容器１に収容されている。遮断器５は、断路器４から後述する母線側断路器６に流れる電流を遮断する。具体的には、遮断器５は、過電流が発生した場合に各相毎の電路を遮断するように設けられている。また、遮断器５と断路器４とは、銅バー１０２を介して接続されている。
【００３２】
なお、遮断器５と断路器４とは、予め密閉容器１の外部で組み立てた状態で、一体的に密閉容器１の中に搬入される。これにより、密閉容器１の中で遮断器５と断路器４とを組み立てる場合に比べて、ガス絶縁スイッチギア１００の製造を簡易化することが可能である。
【００３３】
ガス絶縁スイッチギア１００は、密閉容器１内において各相毎に設けられた複数の母線１０３に接続され、各相毎の電流経路を断路する母線側断路器６を備える。なお、母線１０３は、Ｒ相用の母線１０３ａと、Ｓ相用の母線１０３ｂと、Ｔ相用の母線１０３ｃとを含んでいる。
【００３４】
母線側断路器６は、Ｘ１方向およびＸ２方向に移動可能に構成されている。母線側断路器６のＸ１方向側には、導通端子６０が設けられている。母線側断路器６がＸ１方向側に移動するとともに導通端子６０に接触することにより、母線側断路器６を介して、遮断器５と母線１０３との間に電流経路が形成される。
【００３５】
また、母線側断路器６のＸ２方向側には、接地端子６１が設けられている。母線側断路器６がＸ２方向側に移動するとともに接地端子６１に接触することにより、母線側断路器６は接地状態になる。遮断器５を点検する際には、遮断器５の電位を接地電位とするため、母線側断路器６を接地状態にするのが好ましい。
【００３６】
また、母線側断路器６が、導通端子６０および接地端子６１のいずれにも接続されていない場合は、母線側断路器６は接地状態ではないが、母線１０３と遮断器５との間の電流経路が断路されている。
【００３７】
また、密閉容器１の外面１ａには、母線側断路器６の操作を行う（移動を制御）する母線側断路器用操作ユニット６２が設けられている。
【００３８】
なお、接地装置３、断路器４、および、遮断器５が設けられている密閉容器１の第１室１００ａと、母線側断路器６が設けられている密閉容器１の第２室１００ｂとは、各々のガス室間でガスが漏洩しないように気密封止されているとともに、気密機能を有した絶縁ブッシング１０４により、密閉容器１の第１室１００ａに配置される遮断器５と、密閉容器１の第２室１００ｂに配置される母線断路器６とは電気的に接続されている。
【００３９】
ここで、第１実施形態では、ガス絶縁スイッチギア１００は、遮断器５および断路器４の両方を操作する単一の共通操作ユニット７を備える。具体的には、共通操作ユニット７は、箱状形状を有しており、内部において後述する遮断器操作部７１（図５参照）および断路器操作部７２（図５参照）の両方が収容されている。また、共通操作ユニット７は、密閉容器１の外面１ａに取り付けられている。
【００４０】
また、共通操作ユニット７は、互いに接続された遮断器５および断路器４に、単一のカバー部材８を介して取り付けられている。カバー部材８は、密閉容器１の外面１ａに取り付けられている。カバー部材８は、略矩形形状の金属板（たとえば鉄製またはアルミ製）である。カバー部材８の外周縁には、密閉容器１の外面１ａに取り付けるためのネジ（図示せず）が挿入される複数の挿入孔８ａ（図２参照）が設けられている。また、詳細な構造の図示は省略するが、共通操作ユニット７はネジ（図示せず）によりカバー部材８に固定されている。
【００４１】
また、遮断器５は、互いに接続された遮断器５および断路器４を支持する支持部５ａを含む。支持部５ａは、カバー部材８に取り付けられている。具体的には、支持部５ａは、遮断器５からカバー部材８に向かってＸ方向に延びている。そして、支持部５ａのＸ２方向側の端部（に設けられた図示しないフランジ部）が、カバー部材８（後述する面８ｃ、図３参照）にネジ留めされている。なお、本実施形態では、支持部５ａは２つ設けられているが、２つ以上設けられていてもよい。
【００４２】
また、接地端子４１（Ｒ相用接地端子４１ａ、Ｓ相用接地端子４１ｂ、および、Ｔ相用接地端子４１ｃ）は、共通操作ユニット７が取り付けられているカバー部材８に設けられている。具体的には、接地端子４１（Ｒ相用接地端子４１ａ、Ｓ相用接地端子４１ｂ、および、Ｔ相用接地端子４１ｃ）は、共通操作ユニット７の上方側（Ｚ１方向側）に設けられている。詳細には、接地端子４１（Ｒ相用接地端子４１ａ、Ｓ相用接地端子４１ｂ、および、Ｔ相用接地端子４１ｃ）は、カバー部材８の上端部（Ｚ１方向側の端部）近傍に設けられている。なお、Ｒ相用接地端子４１ａ、Ｓ相用接地端子４１ｂ、および、Ｔ相用接地端子４１ｃはＹ方向に沿って並んで配置されており、Ｙ１方向側から、Ｒ相用接地端子４１ａ、Ｓ相用接地端子４１ｂ、Ｔ相用接地端子４１ｃの順で配置されている。
【００４３】
また、遮断器５および断路器４は、共通操作ユニット７が取り付けられる密閉容器１の外面１ａに沿って上下方向に並んで配置されている。具体的には、遮断器５は、断路器４よりもＺ２方向側に配置されている。また、Ｘ１方向側から見て、遮断器５は、共通操作ユニット７とオーバーラップする位置に設けられている。また、断路器４は、Ｘ１方向側から見て、共通操作ユニット７よりもＺ１方向側に設けられている接地端子４１とオーバーラップする位置に設けられている。
【００４４】
また、図３に示すように、カバー部材８には、貫通孔８ｂが設けられている。共通操作ユニット７に設けられているリンク機構７ａ（図４参照）は、カバー部材８の貫通孔８ｂ、および、密閉容器１の外面１ａに設けられる貫通孔１ｂ（図４参照）を貫通して、遮断器５側に延びている。共通操作ユニット７は、リンク機構７ａを制御するとともに、リンク機構７ａにより遮断器５および断路器４を機械的に操作している。なお、図４は概略的にリンク機構７ａを図示したものであり、説明に不要な部材は図示を省略している。
【００４５】
また、カバー部材８の密閉容器１側の面８ｃには、貫通孔８ｂを取り囲むように配置されている溝部８ｄが設けられている。溝部８ｄには、Ｏリング８ｅが嵌め込まれている。Ｏリング８ｅが設けられることにより、密閉容器１内の絶縁性のガスが外部に漏れるのを抑制することが可能である。なお、Ｏリング８ｅは、たとえばゴム製である。
【００４６】
図５に示すように、共通操作ユニット７は、リンク機構７ａの動作を制御するリンク機構制御部７０を含む。また、共通操作ユニット７は、遮断器５を操作する遮断器操作部７１を含む。また、共通操作ユニット７は、断路器４を操作する断路器操作部７２を含む。
【００４７】
ここで、第１実施形態では、共通操作ユニット７は、遮断器５および断路器４を連続的に動作させる連動モードと、遮断器５および断路器４を別個に動作させる個別モードとを切り替えるモード切替部７３を含む。具体的には、共通操作ユニット７の側面７ｂ（図１参照）には、モード切替スイッチ７３ａ（図２参照）が設けられている。モード切替スイッチ７３ａが切り替えられた場合、モード切替部７３により連動モードと個別モードとが切り替えられる。
【００４８】
また、共通操作ユニット７は、モード切替部７３により共通操作ユニット７が個別モードに切り替えられた場合に、遮断器５および断路器４の各々を自動的に制御する自動制御部７４（図２参照）と、遮断器５および断路器４の各々を手動制御するための操作ハンドル１０５（図６参照）が挿入されるハンドル挿入部７５（図２参照）とを含む。なお、操作ハンドル１０５は、ハンドル挿入部７５に挿入される挿入部分１０５ａ（図６参照）と、ユーザに把持されるハンドル部分１０５ｂ（図６参照）とを含む。
【００４９】
具体的には、自動制御部７４は、共通操作ユニット７の側面７ｂに設けられる遮断器開閉ボタン７４ａ（図２参照）と、断路器開閉ボタン７４ｂ（図２参照）とを含む。個別モードに切り替えられた場合に、遮断器開閉ボタン７４ａが押されることにより、遮断器５が自動的に制御（開閉）される。詳細には、遮断器開閉ボタン７４ａが押されることにより、遮断器操作部７１からリンク機構制御部７０に電気的な信号が送信され、リンク機構制御部７０により、遮断器５を開状態（または閉状態）にするようにリンク機構７ａが自動的に制御される。同様に、個別モードに切り替えられた場合に、断路器開閉ボタン７４ｂが押されることにより、断路器操作部７２からリンク機構制御部７０に電気的な信号が送信され、リンク機構制御部７０により、断路器４を開状態（または閉状態）にするようにリンク機構７ａが自動的に制御される。以下では、遮断器操作部７１（断路器操作部７２）により操作されるとは、遮断器操作部７１（断路器操作部７２）からの電気的な信号を受信したリンク機構制御部７０によって制御されたリンク機構７ａにより操作されるという意味で記載する。なお、遮断器開閉ボタン７４ａおよび断路器開閉ボタン７４ｂは、それぞれ、特許請求の範囲の「自動制御部」の一例である。
【００５０】
また、ハンドル挿入部７５は、遮断器側ハンドル挿入部７５ａ（図２参照）と、断路器側ハンドル挿入部７５ｂ（図２参照）とを含む。ユーザは、遮断器側ハンドル挿入部７５ａに挿入された操作ハンドル１０５により、遮断器５を手動で操作することが可能である。また、ユーザは、断路器側ハンドル挿入部７５ｂに挿入された操作ハンドル１０５により、断路器４を手動で操作することが可能である。この場合、操作ハンドル１０５により、リンク機構７ａが機械的に制御される。なお、遮断器側ハンドル挿入部７５ａおよび断路器側ハンドル挿入部７５ｂは、それぞれ、特許請求の範囲の「ハンドル挿入部」の一例である。
【００５１】
モード切替部７３により共通操作ユニット７が連動モードに切り替えられた場合で、かつ、遮断器開閉ボタン７４ａが押された場合には、（遮断器操作部７１により）遮断器５が操作された後自動的に（断路器開閉ボタン７４ｂが押されなくても）、（断路器操作部７２により）断路器４が操作される。また、連動モード時に、断路器開閉ボタン７４ｂが押された場合には、（断路器操作部７２により）断路器４が操作された後自動的に（遮断器開閉ボタン７４ａが押されなくても）、（遮断器操作部７１により）遮断器５が操作される。ただし、連動モード時において、遮断器５が開状態でない場合に断路器開閉ボタン７４ｂが押された（開状態にする操作がされた）場合は、後述するインターロック部７６の制御により、（遮断器操作部７１により）遮断器５が開状態にされてから（断路器操作部７２により）断路器４が開状態にされる。
【００５２】
また、第１実施形態では、共通操作ユニット７は、遮断器５および断路器４のうちの一方の状態に応じて他方の動作を制限するインターロック部７６を含む。具体的には、インターロック部７６は、遮断器５が開状態でない場合は、断路器４を操作不能状態にロックするように構成されている。インターロック部７６による上記インターロック制御は、連動モード、個別モード、自動制御、および、手動制御に関わらず適用される。
【００５３】
また、インターロック部７６は、手動制御時には機械的にインターロック制御を行う。たとえば、遮断器５が開状態でない場合は、インターロック部７６により、操作ハンドル１０５の断路器側ハンドル挿入部７５ｂへの挿入が防がれるように構成されていてもよい。
【００５４】
また、インターロック部７６は、自動制御時には電気的にインターロック制御を行うように構成されている。たとえば、インターロック部７６は、遮断器５が開状態でない場合に断路器操作部７２からリンク機構制御部７０に送信される信号を無効にするリレー回路などを含んでいてもよい。
【００５５】
（第１実施形態の効果）
第１実施形態では、以下のような効果を得ることができる。
【００５６】
第１実施形態では、上記のように、密閉容器１の外面１ａに取り付けられ、遮断器５および断路器４の両方を操作する単一の共通操作ユニット７を備えるように、ガス絶縁スイッチギア１００を構成する。これにより、遮断器５および断路器４の各々に別個に操作ユニットが設けられている場合と比べて、操作ユニット自体の数を低減させることができるとともに、共通操作ユニット７を取り付けるために必要な部材の数を低減させることができるので、部品点数を低減することができる。
【００５７】
また、単一の共通操作ユニット７を設けることにより、遮断器５および断路器４の各々に別個に操作ユニットが設けられている場合と比べて、ガス絶縁スイッチギア１００の装置構成を簡略化することができる。
【００５８】
また、第１実施形態では、上記のように、共通操作ユニット７が、遮断器５および断路器４のうちの一方の状態に応じて他方の動作を制限するインターロック部７６を含むように、ガス絶縁スイッチギア１００を構成する。ここで、遮断器５および断路器４の各々に別個に操作ユニットが設けられている場合では、各操作ユニットから外部に引き出された配線を用いてインターロック部による制御が行われる。これに対し、共通操作ユニット７がインターロック部７６を含むことによって、共通操作ユニット７の外部に配線を引き出すことなく、共通操作ユニット７の内部でインターロックの制御を行うことができる。これにより、インターロック部７６による制御を行うための構成を簡略化することができる。また、共通操作ユニット７の外部で配線する作業が必要ないので、ガス絶縁スイッチギア１００の製造工程を簡略化することができる。
【００５９】
ここで、遮断器５および断路器４の各々に別個に操作ユニットが設けられている場合では、操作ユニットが互いに離間して設けられるので、機械的なインターロックを行うことが困難であった。したがって、共通操作ユニット７がインターロック部７６を含むことによって、機械的なインターロックを容易に行うことができる。
【００６０】
また、第１実施形態では、上記のように、共通操作ユニット７が、遮断器５および断路器４を連続的に動作させる連動モードと、遮断器５および断路器４を別個に動作させる個別モードとを切り替えるモード切替部７３を含むように、ガス絶縁スイッチギア１００を構成する。ここで、遮断器５および断路器４の各々に別個に操作ユニットが設けられている場合では、各操作ユニットから外部に引き出された配線を用いてモード切替部による制御が行われる。これに対し、共通操作ユニット７がモード切替部７３を含むことによって、共通操作ユニット７の外部に配線を引き出すことなく、共通操作ユニット７の内部でモード切替の制御を行うことができる。これにより、モード切替部７３による制御を行うための構成を簡略化することができる。また、共通操作ユニット７の外部で配線する作業が必要ないので、ガス絶縁スイッチギア１００の製造工程をさらに簡略化することができる。
【００６１】
また、第１実施形態では、上記のように、共通操作ユニット７が、モード切替部７３により共通操作ユニット７が個別モードに切り替えられた場合に、遮断器５および断路器４の各々を自動的に制御する自動制御部７４と、遮断器５および断路器４の各々を手動制御するための操作ハンドル１０５が挿入されるハンドル挿入部７５とを含むように、ガス絶縁スイッチギア１００を構成する。これにより、遮断器４および断路器５の各々の、自動制御部７４とハンドル挿入部７５とを、共通操作ユニット７に集約することができるので、遮断器５および断路器４の各々に別個に操作ユニットが設けられている場合に比べて、ユーザによる自動制御部７４およびハンドル挿入部７５の操作を容易化することができる。
【００６２】
また、第１実施形態では、上記のように、共通操作ユニット７が、互いに接続された遮断器５および断路器４に、単一のカバー部材８を介して取り付けられるように、ガス絶縁スイッチギア１００を構成する。ここで、遮断器５および断路器４の各々に別個に操作ユニットが設けられている場合では、各操作ユニットに対応するカバー部材が必要となる。したがって、共通操作ユニット７が、互いに接続された遮断器５および断路器４に、単一のカバー部材８を介して取り付けられていることによって、遮断器５および断路器４の各々に別個に操作ユニットが設けられている場合に比べて、カバー部材８の数を低減させることができる。
【００６３】
また、第１実施形態では、上記のように、接地端子４１が、共通操作ユニット７が取り付けられているカバー部材８に設けられるように、ガス絶縁スイッチギア１００を構成する。これにより、接地端子４１を設けるために、カバー部材８とは異なる部材を設ける場合に比べて、部品点数を低減させることができる。
【００６４】
また、第１実施形態では、上記のように、遮断器５が、カバー部材８に取り付けられ、互いに接続された遮断器５および断路器４を支持する支持部５ａを含むように、ガス絶縁スイッチギア１００を構成する。これにより、遮断器５および断路器４の各々が別個の支持部により支持されている場合に比べて、部品点数をさらに低減させることができる。
【００６５】
また、第１実施形態では、上記のように、遮断器５および断路器４が、共通操作ユニット７が取り付けられる密閉容器１の外面１ａに沿って上下方向に並んで配置されるように、ガス絶縁スイッチギア１００を構成する。これにより、遮断器５および断路器４が、共通操作ユニット７が取り付けられる密閉容器１の外面１ａと交差する方向に並んで配置されている場合に比べて、遮断器５および断路器４の少なくとも一方と密閉容器１の外面１ａとの間の距離を小さくすることができる。その結果、共通操作ユニット７による操作に用いられる構成を簡略化することができる。
【００６６】
［第２実施形態］
次に、図６〜９を参照して、第２実施形態によるガス絶縁スイッチギア２００の構成について説明する。第２実施形態のガス絶縁スイッチギア２００は、電力ケーブル２と遮断器５との間にのみ断路器４が設けられている第１実施形態の構成に加えて、母線側断路器６と遮断器５との間にも断路器９が設けられている。なお、上記第１実施形態と同様の構成は、第１実施形態と同じ符号を付して図示するとともに説明を省略する。
【００６７】
（ガス絶縁スイッチギアの構成）
まず、図７を参照して、ガス絶縁スイッチギア２００の構成について説明する。なお、図７は、概略図であり、説明に不要な部材の図示を省略している。
【００６８】
図７に示すように、ガス絶縁スイッチギア２００は、母線側断路器６と遮断器５との間の電流経路を断路する断路器９を備える。断路器９は、密閉容器１に収容されている。断路器９は、母線側断路器６と遮断器５との間の電流経路を断路するように構成されている。具体的には、断路器９は、Ｘ１方向およびＸ２方向に移動可能に構成されている。断路器９のＸ１方向側には、導通端子９０が設けられている。断路器９がＸ１方向側に移動するとともに導通端子９０に接触することにより、断路器９を介して、母線側断路器６と遮断器５との間に電流経路が形成される。また、遮断器５と断路器９とは、銅バー１０６を介して接続されている。なお、断路器９は、特許請求の範囲の「第２断路器」の一例である。
【００６９】
なお、遮断器５と断路器４と断路器９とは、予め密閉容器１の外部で組み立てた状態で、一体的に密閉容器１の中に搬入される。これにより、密閉容器１の中で遮断器５と断路器４と断路器９とを組み立てる場合に比べて、ガス絶縁スイッチギア２００の製造を簡易化することが可能である。
【００７０】
また、断路器９のＸ２方向側には、接地端子９１が設けられている。断路器９がＸ２方向側に移動するとともに接地端子９１に接触することにより、断路器９は接地状態になる。遮断器５を点検する際には、遮断器５の電位を接地電位とするため、断路器４および断路器９を接地状態にして行うのが好ましい。また、接地端子９１は、Ｒ相用接地端子９１ａ（図８参照）と、Ｓ相用接地端子９１ｂ（図８参照）と、Ｔ相用接地端子９１ｃ（図８参照）とを含んでいる。なお、図８では、接地装置用操作ユニット３０および母線側断路器用操作ユニット６２は、簡略化のため、図示を省略している。また、Ｒ相用接地端子９１ａ、Ｓ相用接地端子９１ｂ、および、Ｔ相用接地端子９１ｃは、それぞれ、特許請求の範囲の「接地端子」の一例である。
【００７１】
また、断路器９が、導通端子９０および接地端子９１のいずれにも接続されていない場合は、断路器９は接地状態ではないが、母線側断路器６と遮断器５との間の電流経路が断路されている。
【００７２】
ここで、第２実施形態では、ガス絶縁スイッチギア２００は、密閉容器１の外面１ａに取り付けられ、遮断器５、断路器４、および、断路器９を操作する単一の共通操作ユニット１７を備える。具体的には、共通操作ユニット１７は、箱状形状を有しており、内部において、遮断器操作部７１（図９参照）、断路器操作部７２（図９参照）、および、断路器９を操作するための断路器操作部１７１（図９参照）が収容されている。
【００７３】
また、接地端子９１（Ｒ相用接地端子９１ａ、Ｓ相用接地端子９１ｂ、および、Ｔ相用接地端子９１ｃ）は、共通操作ユニット１７が取り付けられているカバー部材１８に設けられている。具体的には、接地端子９１（Ｒ相用接地端子９１ａ、Ｓ相用接地端子９１ｂ、および、Ｔ相用接地端子９１ｃ）は、共通操作ユニット１７の下方側（Ｚ２方向側）に設けられている。詳細には、接地端子９１（Ｒ相用接地端子９１ａ、Ｓ相用接地端子９１ｂ、および、Ｔ相用接地端子９１ｃ）は、カバー部材１８の下端部（Ｚ２方向側の端部）近傍に設けられている。なお、Ｒ相用接地端子９１ａ、Ｓ相用接地端子９１ｂ、および、Ｔ相用接地端子９１ｃはＹ方向に沿って並んで配置されており、Ｙ１方向側から、Ｒ相用接地端子９１ａ、Ｓ相用接地端子９１ｂ、Ｔ相用接地端子９１ｃの順で配置されている。
【００７４】
また、遮断器５、断路器４、および、断路器９は、共通操作ユニット１７が取り付けられる密閉容器１の外面１ａに沿って上下方向に並んで配置されている。具体的には、遮断器５は、断路器９よりもＺ１方向側に配置されている。また、断路器９は、Ｘ１方向側から見て、共通操作ユニット１７よりもＺ２方向側に設けられている接地端子９１とオーバーラップする位置に設けられている。
【００７５】
図９に示すように、共通操作ユニット１７は、リンク機構７ａ（図４参照）を制御するためのリンク機構制御部１７０を含む。
【００７６】
また、第２実施形態では、共通操作ユニット１７は、遮断器５、断路器４、および、断路器９を連続的に動作させる連動モードと、遮断器５、断路器４、および、断路器９を別個に動作させる個別モードとを切り替えるモード切替部１７３を含む。具体的には、共通操作ユニット１７の側面１７ｂ（図１参照）には、モード切替スイッチ１７３ａ（図８参照）が設けられている。モード切替スイッチ１７３ａが切り替えられた場合、モード切替部１７３により連動モードと個別モードとが切り替えられるように構成されている。
【００７７】
また、共通操作ユニット１７は、モード切替部１７３により共通操作ユニット１７が個別モードに切り替えられた場合、遮断器５、断路器４、および、断路器９の各々を自動的に制御する自動制御部１７４（図８参照）と、遮断器５、断路器４、および、断路器９の各々を手動制御するための操作ハンドル１０５（図６参照）が挿入されるハンドル挿入部１７５（図８参照）とを含む。
【００７８】
具体的には、自動制御部１７４は、共通操作ユニット１７の側面１７ｂ（図８参照）に設けられる遮断器開閉ボタン７４ａ（図８参照）と、断路器開閉ボタン１７４ｂとを含む。個別モードに切り替えられた場合に、断路器開閉ボタン１７４ｂが押されることにより、断路器操作部７２および断路器操作部１７１により、断路器４および断路器９が開状態（または閉状態）になるように自動的に制御される。なお、断路器開閉ボタン１７４ｂは、特許請求の範囲の「自動制御部」の一例である。
【００７９】
また、ハンドル挿入部１７５は、遮断器側ハンドル挿入部７５ａと、断路器側ハンドル挿入部７５ｂと、断路器側ハンドル挿入部７５ｃとを含む。ユーザは、断路器側ハンドル挿入部７５ｃに挿入された操作ハンドル１０５（図６参照）により、断路器９を手動で操作することが可能である。なお、断路器側ハンドル挿入部７５ｃは、特許請求の範囲の「ハンドル挿入部」の一例である。
【００８０】
モード切替部１７３により共通操作ユニット１７が連動モードに切り替えられた場合で、かつ、遮断器開閉ボタン７４ａが押された場合には、遮断器５が操作された後自動的に（断路器開閉ボタン１７４ｂが押されなくても）、断路器４および断路器９の各々が操作される。また、連動モード時に、断路器開閉ボタン１７４ｂが押された場合には、断路器４および断路器９の各々が操作された後自動的に（遮断器開閉ボタン７４ａが押されなくても）、遮断器５が操作される。ただし、連動モード時において、遮断器５が開状態でない場合に断路器開閉ボタン１７４ｂが押された（開状態にする操作がされた）場合は、後述するインターロック部１７６の制御により、遮断器５が開状態にされてから断路器４および断路器９の各々が開状態にされる。
【００８１】
また、共通操作ユニット１７は、インターロック部１７６を含む。インターロック部１７６は、遮断器５が開状態でない場合は、断路器４および断路器９を操作不能状態にロックするように構成されている。
【００８２】
なお、第２実施形態のその他の構成は、上記第１実施形態と同様である。
【００８３】
（第２実施形態の効果）
第２実施形態では、以下のような効果を得ることができる。
【００８４】
第２実施形態では、上記のように、単一の共通操作ユニット１７が、密閉容器１の外面１ａに取り付けられているとともに、遮断器５、断路器４、および、断路器９を操作するように、ガス絶縁スイッチギア２００を構成する。これにより、遮断器５、断路器４、および、断路器９の各々に別個に操作ユニットが設けられている場合に比べて、操作ユニットを取り付けるために必要な部材の部品点数を低減させることができる。
【００８５】
また、遮断器５、断路器４、および、断路器９の各々に別個に操作ユニットが設けられている場合と比べて、操作ユニット自体の数を低減させることができるので、ガス絶縁スイッチギア２００の装置構成を簡略化することができる。
【００８６】
なお、第２実施形態のその他の効果は、上記第１実施形態と同様である。
【００８７】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００８８】
たとえば、上記第２実施形態では、電力ケーブル２と遮断器５との間の断路器４（第１断路器）、遮断器５、および、母線側断路器６と遮断器５との間の断路器９（第２断路器）を操作する単一の共通操作ユニット１７が設けられる例を示したが、本発明はこれに限られない。たとえば、遮断器５および断路器９（第２断路器）のみを共通に操作する単一の共通操作ユニットが設けられていてもよい。
【００８９】
また、上記第１および第２実施形態では、電力ケーブル２は、受電用に設けられている例を示したが、本発明はこれに限られない。たとえば、電力ケーブル２は、外部の装置への給電用に設けられていてもよい。
【００９０】
また、上記第１および第２実施形態では、断路器４（第１断路器）と遮断器５とが上下方向に並んで配置されている例を示したが、本発明はこれに限られない。たとえば、断路器４（第１断路器）と遮断器５とが、水平方向に並んで配置されていてもよい。また、断路器９（第２断路器）と遮断器５とが、水平方向に並んで配置されていてもよい。
【００９１】
また、上記第２実施形態では、断路器４（第１断路器）および断路器９（第２断路器）が連動して操作される例を示したが、本発明はこれに限られない。たとえば、断路器４（第１断路器）および断路器９（第２断路器）を個別に操作するように構成されていてもよい。
【符号の説明】
【００９２】
１  密閉容器（筐体部）
１ａ  外面
２  電力ケーブル
４  断路器（第１断路器）
５  遮断器
５ａ  支持部
６  母線側断路器
７、１７  共通操作ユニット
８、１８  カバー部材
９  断路器（第２断路器）
４１  接地端子
４１ａ、９１ａ  Ｒ相用接地端子（接地端子）
４１ｂ、９１ｂ  Ｓ相用接地端子（接地端子）
４１ｃ、９１ｃ  Ｔ相用接地端子（接地端子）
７３、１７３  モード切替部
７４，１７４  自動制御部
７４ａ  遮断器開閉ボタン（自動制御部）
７４ｂ、１７４ｂ  断路器開閉ボタン（自動制御部）
７５、１７５  ハンドル挿入部
７５ａ  遮断器側ハンドル挿入部（ハンドル挿入部）
７５ｂ  断路器側ハンドル挿入部（ハンドル挿入部）
７５ｃ  断路器側ハンドル挿入部（ハンドル挿入部）
７６、１７６  インターロック部
１００、２００  ガス絶縁スイッチギア
１０３、１０３ａ、１０３ｂ、１０３ｃ  母線
１０５  操作ハンドル
【図１】
2020013698.tif 000003
【図２】
2020013698.tif 000004
【図３】
2020013698.tif 000005
【図４】
2020013698.tif 000006
【図５】
2020013698.tif 000007
【図６】
2020013698.tif 000008
【図７】
2020013698.tif 000009
【図８】
2020013698.tif 000010
【図９】
2020013698.tif 000011